(57)【要約】【課題】グループ代表への着信時に、グループ代表を構成するＳＩＰ電話機の一斉着信および着信応答方法を提供すること。【解決手段】主装置１０は、グループ代表への着信があったとき、グループ代表を構成する全てのＳＩＰ電話機４０−１、４０−２に「ＮＯＴＩＦＹ」メッセージにて呼び出しを行う（Ｓ７）。応答したＳＩＰ電話機４０−２は、「ＮＯＴＩＦＹ」メッセージで主装置に応答する（Ｓ１１）。主装置１０は、応答したＳＩＰ電話機４０−２に対してのみ「２００  ＯＫ」メッセージを送信し（Ｓ１２）、非応答のＳＩＰ電話機４０−１に対しては「ＮＯＴＩＦＹ」メッセージを送信する（Ｓ１３）。【選択図】      図４
2008011366.tif 000002
【特許請求の範囲】
【請求項１】
セッション開始プロトコル（ＳＩＰ）を用いたボタン電話装置における、グループ代表着信および着信応答方法であって、前記ボタン電話装置は、主装置と、該主装置にＬＡＮ回線を介して接続された複数のＳＩＰ電話機と、前記主装置に前記ＬＡＮ回線を介して接続されたＳＩＰサーバとを有し、前記複数のＳＩＰ電話機の少なくとも２つがグループ代表を構成しており、前記グループ代表着信および着信応答方法は、
前記主装置が、前記グループ代表への着信があったときに、該グループ代表を構成する全てのＳＩＰ電話機に第１の所定のメッセージを送信して呼び出しを行うステップと、
該呼び出しに応答したＳＩＰ電話機が、第２の所定のメッセージを前記主装置へ送信して、前記主装置に応答を通知するステップと、
前記主装置が、前記応答したＳＩＰ電話機に対してのみ、第３の所定のメッセージを送信して、発信側電話機との呼の確立を行うステップと、
前記主装置が、非応答のＳＩＰ電話機に対して、第４の所定のメッセージを送信して、前記グループ代表着信への応答があったことを通知するステップと、
を含むことを特徴とするボタン電話装置におけるグループ代表着信および着信応答方法。
【請求項２】
前記第１の所定のメッセージを受信したＳＩＰ電話機が、着信している旨をユーザに報知するステップを含む、請求項１に記載のボタン電話装置におけるグループ代表着信および着信応答方法。
【請求項３】
前記第４の所定のメッセージを受信した前記非応答のＳＩＰ電話機が、着信動作の停止を行うステップを更に含む、請求項１又は２に記載のボタン電話装置におけるグループ代表着信および着信応答方法。
【請求項４】
前記第１の所定のメッセージが、イベント通知を行う「ＮＯＴＩＦＹ」メッセージ、イベント通知を行う「ＭＥＳＳＡＧＥ」メッセージ、およびイベント通知を行う「ＩＮＦＯ」メッセージのグループから選択されている、請求項１に記載のボタン電話装置におけるグループ代表着信および着信応答方法。
【請求項５】
前記第２の所定のメッセージが、「ＮＯＴＩＦＹ」メッセージからなる、請求項１に記載のボタン電話装置におけるグループ代表着信および着信応答方法。
【請求項６】
前記第３の所定のメッセージが、セッション確立を要求する「ＩＮＶＩＴＥ」メッセージからなる、請求項１に記載のボタン電話装置におけるグループ代表着信および着信応答方法。
【請求項７】
前記第４の所定のメッセージが、「ＮＯＴＩＦＹ」メッセージからなる、請求項１に記載のボタン電話装置におけるグループ代表着信および着信応答方法。
【請求項８】
セッション開始プロトコル（ＳＩＰ）を用いたボタン電話装置であって、前記ボタン電話装置は、主装置と、該主装置にＬＡＮ回線を介して接続された複数のＳＩＰ電話機と、前記主装置に前記ＬＡＮ回線を介して接続されたＳＩＰサーバとを有し、前記複数のＳＩＰ電話機の少なくとも２つがグループ代表を構成している前記ボタン電話装置において、
前記主装置は、前記グループ代表への着信があったときに、該グループ代表を構成する全てのＳＩＰ電話機に第１の所定のメッセージを送信して呼び出しを行う手段を有し、
該呼び出しに応答したＳＩＰ電話機は、第２の所定のメッセージを前記主装置へ送信して、前記主装置に応答を通知する手段を有し、
前記主装置は、前記応答したＳＩＰ電話機に対してのみ、第３の所定のメッセージを送信して、発信側電話機との呼の確立を行う手段と、非応答のＳＩＰ電話機に対して、第４の所定のメッセージを送信して、前記グループ代表着信への応答があったことを通知する手段とを有する、
ことを特徴とするボタン電話装置。
【請求項９】
前記第１の所定のメッセージを受信したＳＩＰ電話機が、着信している旨をユーザに報知する手段を含む、請求項８に記載のボタン電話装置。
【請求項１０】
前記第４の所定のメッセージを受信した前記非応答のＳＩＰ電話機が、着信動作の停止を行う手段を更に含む、請求項８又は９に記載のボタン電話装置。
【請求項１１】
前記第１の所定のメッセージが、イベント通知を行う「ＮＯＴＩＦＹ」メッセージ、イベント通知を行う「ＭＥＳＳＡＧＥ」メッセージ、およびイベント通知を行う「ＩＮＦＯ」メッセージのグループから選択されている、請求項８に記載のボタン電話装置。
【請求項１２】
前記第２の所定のメッセージが、「ＮＯＴＩＦＹ」メッセージからなる、請求項８に記載のボタン電話装置。
【請求項１３】
前記第３の所定のメッセージが、セッション確立を要求する「ＩＮＶＩＴＥ」メッセージからなる、請求項８に記載のボタン電話装置。
【請求項１４】
前記第４の所定のメッセージが、「ＮＯＴＩＦＹ」メッセージからなる、請求項８に記載のボタン電話装置。
【請求項１５】
セッション開始プロトコル（ＳＩＰ）を用いたボタン電話装置に使用される主装置であって、前記ボタン電話装置は、前記主装置と、該主装置にＬＡＮ回線を介して接続された複数のＳＩＰ電話機と、前記主装置に前記ＬＡＮ回線を介して接続されたＳＩＰサーバとを有し、前記複数のＳＩＰ電話機の少なくとも２つがグループ代表を構成している、前記主装置において、
前記グループ代表への着信があったときに、該グループ代表を構成する全てのＳＩＰ電話機に第１の所定のメッセージを送信して呼び出しを行う手段と、
該呼び出しに応答したＳＩＰ電話機から、前記主装置に応答を通知する第２の所定のメッセージを受信する手段と、
前記応答したＳＩＰ電話機に対してのみ、第３の所定のメッセージを送信して、発信側電話機との呼の確立を行う手段と、
非応答のＳＩＰ電話機に対して、第４の所定のメッセージを送信して、前記グループ代表着信への応答があったことを通知する手段と、
を有することを特徴とする主装置。
【請求項１６】
前記第１の所定のメッセージが、イベント通知を行う「ＭＥＳＳＡＧＥ」メッセージ、およびイベント通知を行う「ＩＮＦＯ」メッセージのグループから選択される、請求項１５に記載の主装置。
【請求項１７】
前記第２の所定のメッセージが、「ＮＯＴＩＦＹ」メッセージからなる、請求項１５に記載の主装置。
【請求項１８】
前記第３の所定のメッセージが、セッション確立を要求する「ＩＮＶＩＴＥ」メッセージからなる、請求項１５に記載の主装置。
【請求項１９】
前記第４の所定のメッセージが、「ＮＯＴＩＦＹ」メッセージからなる、請求項１５に記載の主装置。
【請求項２０】
セッション開始プロトコル（ＳＩＰ）を用いたボタン電話装置に使用される主装置であって、前記ボタン電話装置は、前記主装置と、該主装置にＬＡＮ回線を介して接続された複数のＳＩＰ電話機と、前記主装置に前記ＬＡＮ回線を介して接続されたＳＩＰサーバとを有し、前記複数のＳＩＰ電話機の少なくとも２つがグループ代表を構成している、前記主装置を、
前記グループ代表への着信があったときに、該グループ代表を構成する全てのＳＩＰ電話機に第１の所定のメッセージを送信して呼び出しを行う手段、
該呼び出しに応答したＳＩＰ電話機から、前記主装置に応答を通知する第２の所定のメッセージを受信する手段、
前記応答したＳＩＰ電話機に対してのみ、第３の所定のメッセージを送信して、発信側電話機との呼の確立を行う手段、
非応答のＳＩＰ電話機に対して、第４の所定のメッセージを送信して、前記グループ代表着信への応答があったことを通知する手段、
として機能させるプログラム。
【請求項２１】
前記第１の所定のメッセージが、イベント通知を行う「ＭＥＳＳＡＧＥ」メッセージ、およびイベント通知を行う「ＩＮＦＯ」メッセージのグループから選択される、請求項２０に記載のプログラム。
【請求項２２】
前記第２の所定のメッセージが、「ＮＯＴＩＦＹ」メッセージからなる、請求項２０に記載のプログラム。
【請求項２３】
前記第３の所定のメッセージが、セッション確立を要求する「ＩＮＶＩＴＥ」メッセージからなる、請求項２０に記載のプログラム。
【請求項２４】
前記第４の所定のメッセージが、「ＮＯＴＩＦＹ」メッセージからなる、請求項２０に記載のプログラム。
【発明の詳細な説明】
【技術分野】
【０００１】
本発明は、ＳＩＰ（Session Initiation Protocol：セッション開始プロトコル）を用いたボタン電話装置に関し、特に、そのグループ代表着信および着信応答方法に関する。
【背景技術】
【０００２】
この技術分野で周知のように、ボタン電話装置は、少なくとも１つの局線に接続された主装置と、この主装置に通信線とデータ線を介して接続された複数のボタン電話機とを有する（例えば、特許文献１参照）。
【０００３】
近年、ボタン電話装置のＶｏＩＰ（Voice over Internet Protocol）化が進んでいる。ここで、ＶｏＩＰとは、本来データ通信のプロトコルであるＩＰ（internet protocol）上で音声データを転送する技術で、インターネット電話の実現を目指すものをいう。ＶｏＩＰの代表的な呼制御のプロトコルとしてＳＩＰ（Session Initiation Protocol：セッション開始プロトコル）が注目されている。
【０００４】
ここで、ＳＩＰは、電話やインスタント・メッセンジャーのような、１対１あるいは複数の参加者間の一まとまりの通信を開始、変更、完了するアプリケーション層のシグナリング・プロトコルをいい、ＲＦＣ（request for comments）３２６１で定義されている。シグナリング・プロトコルとは、電話の場合、通信相手を呼び出す部分、呼び出される部分を指し、通信の開始から完了までを制御する。
【０００５】
本明細書中では、ＳＩＰ機能を有するボタン電話機（すなわち、ＳＩＰをサポートする電話機）を「ＳＩＰ電話機」と呼ぶことにする。
【０００６】
機能的な面では、既存のボタン電話機（多機能電話機）を収容したボタン電話装置が様々な機能サービスを提供しており、充実している。その為、ボタン電話装置のＶｏＩＰ化を推進するためには、既存のボタン電話装置が提供する機能サービスを、ＳＩＰ電話機を用いたボタン電話装置でも実現する必要がある。
【０００７】
ＳＩＰでは、発信・着信・保留・転送といった基本的なシーケンスを規定している。しかしながら、ＳＩＰは、既存のボタン電話装置で提供されているサービスを実現するためのシーケンスについては何ら規定していない。
【０００８】
従来から、ＳＩＰを用いたボタン電話装置が提案されている。例えば、簡易な構成で各端末相互間の電話情報の相互伝達を効率よく実行し、かつ、収容端末の増減に対しても高い融通性を以って柔軟に対応することができる「電話通信システム」が知られている（例えば、特許文献２参照）。
【０００９】
詳述すると、特許文献２では、電話通信システムの一例として、各家庭に設置され一般にボタン電話装置と称されているキーテレホンシステムについて記載している。音声パケット通信を、例えば、ＩＰ（Internet Protocol）ネットワーク上で実現するために、ボイスオーバＩＰ制御方式として、ＳＩＰ（ＲＦＣ２５４３）、ＳＤＰ（ＲＦＣ２３２７）およびＲＴＰ（ＲＦＣ１８８９）／ＲＴＣＰ（ＲＦＣ１８９０）を使用している。ＳＩＰ（Session Initiation Protocol）とは、インタラクティブ通信のセッションの開始、終了および変更を制御するために定義されてプロトコルである。ＩＰネットワーク上に「着信呼情報」を管理する着信管理サーバを置くことにより、一般着信、代理応答、群着信など、従来のキーテレホンシステムが提供していた着信機能をＩＰキーテレホンシステムとして実施することができる。
【００１０】
また、特許文献２では、ＩＰネットワーク上に接続された端末を使用して、従来のキーテレホンシステムと同等のサービスを提供するため、及びシステムの拡張性を高めるために、ＩＰテレホン、ＳＩＰサーバ、リソース管理サーバ、およびアプリケーションサーバという４つの機能ブロックに分散配置している。ここで、ＳＩＰサーバ、リソース管理サーバ、およびアプリケーションサーバを合わせたものが、キーテレホンシステムの主装置に相当する。
【００１１】
ＩＰテレホンは、ＩＥＥＥ８０２．３に準拠したＬＡＮ端末であり、ＳＩＰユーザエージェント機能を有するものである。ＳＩＰサーバは、ＩＥＥＥ８０２．３に準拠したＬＡＮ端末であり、ＳＩＰサーバ機能を有するものである。リソース管理サーバは、ＩＥＥＥ８０２．３に準拠したＬＡＮ端末であり、ＩＰキーテレホンシステムに属する端末の端末状態データベースを管理、記憶および配信するサーバ機能を有するものである。アプリケーションサーバは、ＩＥＥＥ８０２．３に準拠したＬＡＮ端末であり、ＩＰキーテレホンシステムの着信サービス機能を提供するサーバ機能を有するものである。
【００１２】
そして、特許文献２は、着信応答シーケンスとして、着信中の着呼ＩＰ端末が、受話器を上げるような着信応答操作を行うと、リソース管理サーバへ「捕捉（Notify:BUSY）メッセージを発行することを開示している。更に、特許文献１は、着信代理応答シーケンスとして、着信代理応答時に、着信管理サーバが、ＲＦＣ２５４３で規定された発呼メッセージ（IVITE）を代理応答端末へ通知することも開示している。
【００１３】
また、副番号への着信を鳴動していないグループ電話端末がピッキングで着信に応答する場合、着信の副番号を知らなくても着信に応答することができようにした「グループ電話システム」も知られている（例えば、特許文献３参照）。この特許文献３では、グループ外の非鳴動電話機から着信応答しようとしたとき、鳴動電話機の主番号を入力した後にピックアップキーを押してピックアップし、これを受信した鳴動電話機から非鳴動電話機へ「ＮＯＴＩＦＹ」メッセージを送信している。そして、非鳴動電話機から外線に着信の接続変更を要求する「ＩＮＶＩＴＥ」メッセージが送信される。
【００１４】
更に、着信規制状態の転送動作にて、正常なトランザクションの実施及び完了を行うことができる「ＳＩＰ端末における転送方法、転送プログラム」も提案されている（例えば、特許文献４参照）。この特許文献４では、「ＮＯＴＩＦＹ」メッセージを状態通知のために送信している。
【００１５】
また、複数の外線電話番号を取得し、複数の電話機を備えた場合に、ＩＰ網に余分なパケットを送出することなく、どの外線電話番号でどの電話機を着信させるかという着信番号のグループ分けができるようにした「ＩＰ電話ゲートウェイ装置」も提案されている（例えば、特許文献５参照）。この特許文献５では、所定の順番で電話機の順次着信要求を行う順次着信と、全ての電話機に一斉に着信要求を行う一斉着信とを切り替え可能である。そして、特許文献５は、一斉着信処理を行う場合、着信者側のＩＰ電話ゲートウェイ装置が、使用可能な複数の電話機に一斉に鳴動要求を行うことと、いずれかの電話機のフックオフが検出された場合に、着信者側のＩＰ電話ゲートウェイ装置が、他の電話機（非応答電話機）の鳴動を停止することを開示している。
【００１６】
【特許文献１】特開平３−７４９９６号公報
【特許文献２】特開２００２−１５２２２４号公報
【特許文献３】特開２００５−１１００９９号公報
【特許文献４】特開２００５−１３６５６４号公報
【特許文献５】特開２００５−２４４４９０号公報
【発明の開示】
【発明が解決しようとする課題】
【００１７】
ところで、既存のボタン電話装置で提供されている着信サービス機能の１つに「グループ代表着信サービス機能」がある。ここで、グループ代表着信サービス機能とは、グループ代表に該当する番号への着信を検出した主装置が、グループ代表を構成する全てのＳＩＰ電話機を一斉に呼び出す着信サービス機能である。
【００１８】
特許文献２は、ＳＩＰを用いたボタン電話装置（キーテレホンシステム）における、いくつかの着信サービス機能を開示しているかも知れない。しかしながら、特許文献２はグループ代表着信サービス機能については何ら開示せず、示唆する記載もない。すなわち、特許文献２は、着信サービス機能の内、一般着信サービス機能（着信応答シーケンス）および代理応答着信サービス機能（着信代理応答シーケンス）のみを開示するだけであって、グループ代表着信サービス機能（群着信応答シーケンス）については何ら開示していない。
【００１９】
また、特許文献３は、「ＮＯＴＩＦＹ」メッセージの使用例を開示しているが、コールピックアップの従来例を開示しているに過ぎず、グループ代表着信サービス機能については何ら開示せず、示唆する記載もない。
【００２０】
特許文献４は、転送サービスの場合に「ＮＯＴＩＦＹ」メッセージを使用することを開示しているに過ぎず、グループ代表着信サービス機能については何ら開示せず、示唆する記載もない。
【００２１】
一方、特許文献５は、一斉着信とその着信応答について開示しているかもしれない。しかしながら、特許文献５は、どのようにして一斉に鳴動要求を行うのか、またどのようにして他の電話機の鳴動を停止するのかの具体例については何ら開示していない。
【００２２】
したがって、本発明の課題は、セッション開始プロトコル（ＳＩＰ）を用いたボタン電話装置において、グループ代表への着信時に、グループ代表を構成するＳＩＰ電話機の一斉着信および着信応答方法を提供することにある。
【課題を解決するための手段】
【００２３】
本発明の第１の態様によれば、セッション開始プロトコル（ＳＩＰ）を用いたボタン電話装置における、グループ代表着信および着信応答方法であって、前記ボタン電話装置は、主装置と、該主装置にＬＡＮ回線を介して接続された複数のＳＩＰ電話機と、前記主装置に前記ＬＡＮ回線を介して接続されたＳＩＰサーバとを有し、前記複数のＳＩＰ電話機の少なくとも２つがグループ代表を構成しており、前記グループ代表着信および着信応答方法は、前記主装置が、前記グループ代表への着信があったときに、該グループ代表を構成する全てのＳＩＰ電話機に第１の所定のメッセージを送信して呼び出しを行うステップと、該呼び出しに応答したＳＩＰ電話機が、第２の所定のメッセージを前記主装置へ送信して、前記主装置に応答を通知するステップと、前記主装置が、前記応答したＳＩＰ電話機に対してのみ、第３の所定のメッセージを送信して、発信側電話機との呼の確立を行うステップと、前記主装置が、非応答のＳＩＰ電話機に対して、第４の所定のメッセージを送信して、前記グループ代表着信への応答があったことを通知するステップと、を含むことを特徴とするボタン電話装置におけるグループ代表着信および着信応答方法が得られる。
【００２４】
本発明の第１の態様によるボタン電話装置におけるグループ代表着信および着信応答方法において、前記第１の所定のメッセージを受信したＳＩＰ電話機は、着信している旨をユーザに報知するステップを含んで良く、前記第４の所定のメッセージを受信した前記非応答のＳＩＰ電話機は、着信動作の停止を行うステップを更に含んで良い。また、前記第１の所定のメッセージは、イベント通知を行う「ＮＯＴＩＦＹ」メッセージ、イベント通知を行う「ＭＥＳＳＡＧＥ」メッセージ、およびイベント通知を行う「ＩＮＦＯ」メッセージのグループから選択されることが好ましい。
【００２５】
本発明の第２の態様によれば、セッション開始プロトコル（ＳＩＰ）を用いたボタン電話装置であって、前記ボタン電話装置は、主装置と、該主装置にＬＡＮ回線を介して接続された複数のＳＩＰ電話機と、前記主装置に前記ＬＡＮ回線を介して接続されたＳＩＰサーバとを有し、前記複数のＳＩＰ電話機の少なくとも２つがグループ代表を構成している前記ボタン電話装置において、前記主装置は、前記グループ代表への着信があったときに、該グループ代表を構成する全てのＳＩＰ電話機に第１の所定のメッセージを送信して呼び出しを行う手段を有し、該呼び出しに応答したＳＩＰ電話機は、第２の所定のメッセージを前記主装置へ送信して、前記主装置に応答を通知する手段を有し、前記主装置は、前記応答したＳＩＰ電話機に対してのみ、第３の所定のメッセージを送信して、発信側電話機との呼の確立を行う手段と、非応答のＳＩＰ電話機に対して、第４の所定のメッセージを送信して、前記グループ代表着信への応答があったことを通知する手段とを有する、ことを特徴とするボタン電話装置が得られる。
【００２６】
本発明の第２の態様によるボタン電話装置において、前記第１の所定のメッセージを受信したＳＩＰ電話機は、着信している旨をユーザに報知する手段を含んで良く、前記第４の所定のメッセージを受信した前記非応答のＳＩＰ電話機は、着信動作の停止を行う手段を更に含んで良い。また、前記第１の所定のメッセージは、イベント通知を行う「ＮＯＴＩＦＹ」メッセージ、イベント通知を行う「ＭＥＳＳＡＧＥ」メッセージ、およびイベント通知を行う「ＩＮＦＯ」メッセージのグループから選択されることが好ましい。
【００２７】
本発明の第３の態様によれば、セッション開始プロトコル（ＳＩＰ）を用いたボタン電話装置に使用される主装置であって、前記ボタン電話装置は、前記主装置と、該主装置にＬＡＮ回線を介して接続された複数のＳＩＰ電話機と、前記主装置に前記ＬＡＮ回線を介して接続されたＳＩＰサーバとを有し、前記複数のＳＩＰ電話機の少なくとも２つがグループ代表を構成している、前記主装置において、前記グループ代表への着信があったときに、該グループ代表を構成する全てのＳＩＰ電話機に第１の所定のメッセージを送信して呼び出しを行う手段と、該呼び出しに応答したＳＩＰ電話機から、前記主装置に応答を通知する第２の所定のメッセージを受信する手段と、前記応答したＳＩＰ電話機に対してのみ、第３の所定のメッセージを送信して、発信側電話機との呼の確立を行う手段と、非応答のＳＩＰ電話機に対して、第４の所定のメッセージを送信して、前記グループ代表着信への応答があったことを通知する手段と、を有することを特徴とする主装置が得られる。
【００２８】
本発明の第３の態様による主装置において、前記第１の所定のメッセージは、イベント通知を行う「ＭＥＳＳＡＧＥ」メッセージ、およびイベント通知を行う「ＩＮＦＯ」メッセージのグループから選択されることが好ましい。
【００２９】
本発明の第４の態様によれば、セッション開始プロトコル（ＳＩＰ）を用いたボタン電話装置に使用される主装置であって、前記ボタン電話装置は、前記主装置と、該主装置にＬＡＮ回線を介して接続された複数のＳＩＰ電話機と、前記主装置に前記ＬＡＮ回線を介して接続されたＳＩＰサーバとを有し、前記複数のＳＩＰ電話機の少なくとも２つがグループ代表を構成している、前記主装置を、前記グループ代表への着信があったときに、該グループ代表を構成する全てのＳＩＰ電話機に第１の所定のメッセージを送信して呼び出しを行う手段、該呼び出しに応答したＳＩＰ電話機から、前記主装置に応答を通知する第２の所定のメッセージを受信する手段、前記応答したＳＩＰ電話機に対してのみ、第３の所定のメッセージを送信して、発信側電話機との呼の確立を行う手段、非応答のＳＩＰ電話機に対して、第４の所定のメッセージを送信して、前記グループ代表着信への応答があったことを通知する手段、として機能させるプログラムが得られる。
【００３０】
本発明の第４の態様によるプログラムにおいて、前記第１の所定のメッセージは、イベント通知を行う「ＭＥＳＳＡＧＥ」メッセージ、およびイベント通知を行う「ＩＮＦＯ」メッセージのグループから選択されることが好ましい。
【発明の効果】
【００３１】
本発明では、主装置が、グループ代表への着信があったとき、グループ代表を構成する全てのＳＩＰ電話機に第１の所定のメッセージにて呼び出しを行い、応答したＳＩＰ電話機は、第２の所定のメッセージで主装置に応答し、主装置は応答したＳＩＰ電話機に対してのみ第３の所定のメッセージを送信し、非応答のＳＩＰ電話機に対しては第４の所定のメッセージを送信しているので、グループ代表着信に対して、グループ代表を構成するＳＩＰ電話機の一斉着信、および当該着信への応答が可能である。
【００３２】
また、第１の所定のメッセージとして、「ＩＮＶＩＴＥ」メッセージを使用せずに、イベント通知を行う「ＮＯＴＩＦＹ」メッセージ、イベント通知を行う「ＭＥＳＳＡＧＥ」メッセージ、又はイベント通知を行う「ＩＮＦＯ」メッセージのいずれかを使用することにより、複数のグループ代表着信が発生した場合に、複数の「ＩＮＶＩＴＥ」メッセージ受信による複数のダイアログ（呼）の管理が不要となる。
【発明を実施するための最良の形態】
【００３３】
以下、本発明の実施の形態について図面を参照して詳細に説明する。
【００３４】
図１を参照して、本発明の一実施の形態に係るボタン電話装置１００について説明する。図示のボタン電話装置１００は、ＶｏＩＰ（Voice over Internet Protocol）技術を採用したボタン電話装置である。ボタン電話装置１００は、主装置１０と、ＶｏＩＰサーバとしてのＳＩＰ（Session Initiation Protocol）サーバ３０と、複数のＳＩＰ電話機４０−１、４０−２、および４０−３とによって構成されている。
【００３５】
図示の例では、ボタン電話装置１００は３台のＳＩＰ電話機４０−１〜４０−３を備えているが、ＳＩＰ電話機の台数はこれに限定されないのは勿論である。ここでは、３台のＳＩＰ電話機４０−１〜４０−３を区別するために、それらを、それぞれ、第１乃至第３のＳＩＰ電話機と呼ぶことにする。また、図１においては、第１乃至第３のＳＩＰ電話機４０−１〜４０−３を、それぞれ、ＳＩＰ電話機Ａ、ＳＩＰ電話機Ｂ、およびＳＩＰ電話機Ｃとして図示している。尚、ＳＩＰ電話機を区別する必要がない場合には、接尾語を省略して、ＳＩＰ電話機を単に４０の参照符号で表すことにする。
【００３６】
図示の例では、第１のＳＩＰ電話機４０−１（ＳＩＰ電話機Ａ）と第２のＳＩＰ電話機４０−２（ＳＩＰ電話機Ｂ）とが代表グループを構成している。
【００３７】
図１に示されるように、主装置１０と、ＳＩＰサーバ３０と、第１乃至第３のＳＩＰ電話機４０−１〜４０−３とは、ＬＡＮ（local area network）回線２０に接続されている。
【００３８】
ボタン電話装置１００は、ＩＰ（Internet Protocol）ネットワーク２００を介して、例えば、他のボタン電話装置３００に接続されている。他のボタン電話装置３００は第４のＳＩＰ電話機４０−４を含む。図１においては、第４のＳＩＰ電話機４０−４をＳＩＰ電話機Ｄとして図示している。
【００３９】
ＳＩＰサーバ３０は、例えば、ＳＩＰで規定されるプロシキサーバ、リダイレクトサーバ、レジストラ、ロケーションサーバとしての機能を個別に又は一体に有する。ＳＩＰサーバ３０は、これら機能を実現するためのＳＩＰ処理用のアプリケーションを実装する。
【００４０】
ＳＩＰ電話機４０は、例えば、ＳＩＰで規定されるユーザエージェント（ＵＡ）としての機能を有する。ＳＩＰ電話機４０は、このユーザエージェント（ＵＡ）としての機能を実現するためのＳＩＰ処理用のアプリケーションを実装する。
【００４１】
図２に主装置１０の構成の一例を示す。主装置１０は、例えば、ＬＡＮ回線２０を収容するＬＡＮ収容インタフェース１１と、システムデータ１２を格納するデータベース１５とを有する。ＬＡＮ収容インタフェース１１とデータベース１５とは中央処理装置１３によって制御される。
【００４２】
図示はしないが、中央処理装置１３は、例えば、予め設定された制御プログラムの命令を読み出し、解読し、実行するＣＰＵと、その制御プログラム、制御データを格納するメモリと、タイマ等を有する。メモリは、ＲＯＭやＲＡＭで構成される。制御プログラムには、ＳＩＰを処理するためのＳＩＰアプリケーション１４が搭載されている。このＳＩＰアプリケーション１４には、ＳＩＰ電話機４０と同様に、主装置１０をユーザエージェント（ＵＡ）として機能させるための制御プログラムが含まれる。
【００４３】
データベース１５は、システムデータ１２として、グループ代表着信に対応付けられたＳＩＰ電話機４０の情報を設定・保存している。
【００４４】
次に、図１及び図２に加えて、図３及び図４をも参照して、グループ代表着信について説明する。グループ代表着信とは、グループ代表に該当する番号への着信を検出した主装置１０が、グループ代表を構成する全てのＳＩＰ電話機４０を一斉に呼び出すものである。
【００４５】
本実施の形態では、グループ代表着信時のＳＩＰ電話機４０の呼び出し方法として、セッション開始要求である「ＩＮＶＩＴＥ」メッセージを使用せずに、イベント通知である「ＮＯＴＩＦＹ」メッセージを使用している。その理由は、複数のグループ代表着信が発生した場合に、複数の「ＩＮＶＩＴＥ」受信による複数のダイアログ（呼）の管理が不要となるからである。
【００４６】
「ＮＯＴＩＦＹ」メッセージの送信を行うために、主装置１０とＳＩＰ電話機４０間で定期的にサブスクライブ信号を送信し、サブスクリプションを起こす。
【００４７】
図３は、ＳＩＰ電話機４０と主装置１０のサブスクリプションの起動を示すシーケンス図である。
【００４８】
ＳＩＰ電話機４０は、「ＳＵＢＳＣＲＩＢＥ」メッセージを主装置１０に送信する。この「ＳＵＢＳＣＲＩＢＥ」メッセージを受けた主装置１０は、その「ＳＵＢＳＣＲＩＢＥ」メッセージに対する応答として、「２００  ＯＫ」メッセージをＳＩＰ電話機４０に送信する。主装置１０は、イベント（グループ代表着信）発生時に、「ＮＯＴＩＦＹ」メッセージをＳＩＰ電話機４０に送信してイベントを通知する。
【００４９】
また、主装置１０は、「ＳＵＢＳＣＲＩＢＥ」メッセージをＳＩＰ電話機４０に送信する。この「ＳＵＢＳＣＲＩＢＥ」メッセージを受信したＳＩＰ電話機４０は、その「ＳＵＢＳＣＲＩＢＥ」メッセージに対する応答として、「２００  ＯＫ」メッセージを主装置１０に送信する。ＳＩＰ電話機４０は、イベント（ユーザ応答操作）発生時に、「ＮＯＴＩＦＹ」メッセージを主装置１０に送信してイベントを通知する。
【００５０】
図４は、グループ代表呼び出し動作を示すシーケンス図である。本例では、他のボタン電話装置３００の第４のＳＩＰ電話機４０−４（ＳＩＰ電話機Ｄ）が発信元電話機であり、第１のＳＩＰ電話機４０−１（ＳＩＰ電話機Ａ）が非応答端末で、第２のＳＩＰ電話機４０−２（ＳＩＰ電話機Ｂ）が応答端末であるとする。
【００５１】
先ず、発信者である発信元電話機４０−４（ＳＩＰ電話機Ｄ）が代表グループに対して発信を行うと、セッションの確立を要求するために、「ＩＮＶＩＴＥ」メッセージが発信元電話機４０−４（ＳＩＰ電話機Ｄ）からＳＩＰサーバ３０へ送信される（ステップＳ１）。この「ＩＮＶＩＴＥ」メッセージを受信したＳＩＰサーバ３０は、「ＩＮＶＩＴＥ」メッセージを受信したことを通知するために「１００  Trying」メッセージを発信元電話機４０−４（ＳＩＰ電話機Ｄ）へ送信し（ステップＳ２）、「ＩＮＶＩＴＥ」メッセージを主装置１０に中継する（ステップＳ３）。
【００５２】
「ＩＮＶＩＴＥ」を受信した主装置１０は、「ＩＮＶＩＴＥ」メッセージを受信したことを通知するために、「１００  Trying」メッセージをＳＩＰサーバ３０へ送信し（ステップＳ４）、呼出中であることを通知するために「１８０  Ringing」メッセージをＳＩＰサーバ３０に通知する（ステップＳ５）。
【００５３】
「１８０  Ringing」メッセージを受信したＳＩＰサーバ３０は、「１８０  Ringing」メッセージを発信元電話機４０−４（ＳＩＰ電話機Ｄ）に中継する（ステップＳ６）。
【００５４】
次に、グループ代表への着信について説明する。「ＩＮＶＩＴＥ」メッセージを受信した主装置１０は、その「ＩＮＶＩＴＥ」メッセージの内容から代表グループへの着信だと判断する。この場合、主装置１０は、グループ代表を構成するＳＩＰ電話機であるＳＩＰ電話機Ａ（第１のＳＩＰ電話機４０−１）とＳＩＰ電話機Ｂ（第２のＳＩＰ電話機４０−２）に対して、「ＮＯＴＩＦＹ」メッセージを送信する（ステップＳ７）。この「ＮＯＴＩＦＹ」メッセージには、グループ代表着信が発生している旨の情報が含まれている。この「ＮＯＴＩＦＹ」メッセージは第１の所定のメッセージとして働く。したがって、主装置１０は、グループ代表への着信があったときに、当該グループ代表を構成する全てのＳＩＰ電話機４０−１、４０−２に第１の所定のメッセージを送信して呼び出しを行う。
【００５５】
この「ＮＯＴＩＦＹ」メッセージを受信したＳＩＰ電話機Ａ（第１のＳＩＰ電話機４０−１）およびＳＩＰ電話機Ｂ（第２のＳＩＰ電話機４０−２）は、着信鳴動を行う等して呼び出されていることをユーザに報知する（ステップＳ８）。そして、ＳＩＰ電話機Ａ（第１のＳＩＰ電話機４０−１）およびＳＩＰ電話機Ｂ（第２のＳＩＰ電話機４０−２）は、「ＮＯＴＩＴＹ」メッセージの応答として、「２００  ＯＫ」メッセージを主装置１０に送信する（ステップＳ９）。
【００５６】
次に、グループ代表着信の応答について説明する。ここでは、グループ代表着信時に、ＳＩＰ電話機Ｂ（第２のＳＩＰ電話機４０−２）で応答したとする（ステップＳ１０）。この場合、ＳＩＰ電話機Ｂ（第２のＳＩＰ電話機４０−２）は、「ＮＯＴＩＦＹ」メッセージを主装置１０に送信する（ステップＳ１１）。この「ＮＯＴＩＦＹ」メッセージには、ユーザが応答した旨の情報が含まれている。この「ＮＯＴＩＦＹ」メッセージは第２の所定のメッセージとして働く。したがって、呼び出しに応答したＳＩＰ電話機（本例では、第２のＳＩＰ電話機４０−２）は、第２の所定のメッセージを主装置１０に送信して、主装置１０に応答を通知する。
【００５７】
この「ＮＯＴＩＦＹ」メッセージを受信した主装置１０は、その応答として、「２００  ＯＫ」メッセージを応答端末であるＳＩＰ電話機Ｂ（第２のＳＩＰ電話機４０−２）へ送信する（ステップＳ１２）。着信応答メッセージ「２００  ＯＫ」は第３の所定のメッセージとして働く。したがって、主装置１０は、応答したＳＩＰ電話機（本例では、第２のＳＩＰ電話機４０−２）に対してのみ、第３の所定のメッセージを送信して、後述するように、発信側電話機（ＳＩＰ電話機４０−ｎ）との呼の確立を行う。
【００５８】
また、主装置１０は、非応答端末であるＳＩＰ電話機Ａ（第１のＳＩＰ電話機４０−１）には「ＮＯＴＩＦＹ」メッセージを送信する（ステップＳ１３）。この「ＮＯＴＩＦＹ」メッセージには、グループ代表着信にある端末（この例では、ＳＩＰ電話機Ｂ）が応答した旨の情報が含まれている。この「ＮＯＴＩＦＹ」メッセージは第４の所定のメッセージとして働く。したがって、主装置１０は、非応答のＳＩＰ電話機（本例では、第１のＳＩＰ電話機４０−１）に対して、第４の所定のメッセージを送信して、グループ代表着信への応答があったことを通知する。
【００５９】
この「ＮＯＴＩＦＹ」メッセージを受信したＳＩＰ電話機Ａ（第１のＳＩＰ電話機４０−１）は、着信鳴動を停止する等、着信動作の停止を行う（ステップＳ１４）と共に、「ＮＯＴＩＦＹ」メッセージの応答として、「２００  ＯＫ」メッセージを主装置１０に送信する（ステップＳ１５）。
【００６０】
次に、主装置１０は、応答端末であるＳＩＰ電話機Ｂ（第２のＳＩＰ電話機４０−２）に、セッションの確立を要求するために「ＩＮＶＩＴＥ」メッセージを送信する（ステップＳ１６）。
【００６１】
この「ＩＮＶＩＴＥ」メッセージを受信したＳＩＰ電話機Ｂ（第２のＳＩＰ電話機４０−２）は、「ＩＮＶＴＥ」メッセージを受信したことを通知するために、「１００  Trying」メッセージを主装置１０に送信する（ステップＳ１７）。また、ＳＩＰ電話機Ｂ（第２のＳＩＰ電話機４０−２）は、「ＩＮＶＴＥ」メッセージに応答したことを通知するため「２００  ＯＫ」メッセージを主装置１０に送信する（ステップＳ１８）。
【００６２】
「２００  ＯＫ」メッセージを受信した主装置１０は、「２００  ＯＫ」メッセージをＳＩＰサーバ３０に中継する（ステップＳ１９）。この「２００  ＯＫ」メッセージを受信した「ＳＩＰサーバ３０は、「２００  ＯＫ」メッセージを発信元電話機Ｄ（第４のＳＩＰ電話機４０−４）に中継する（ステップＳ２０）。
【００６３】
「２００  ＯＫ」メッセージを受信した発信元電話機Ｄ（第４のＳＩＰ電話機４０−４）は、応答確認の「ＡＣＫ」メッセージをＳＩＰサーバ３０に送信する（ステップＳ２１）。「ＡＣＫ」メッセージを受信したＳＩＰサーバ３０は、「ＡＣＫ」メッセージを主装置１０に中継する（ステップＳ２２）。「ＡＣＫ」メッセージを受信した主装置１０は、「ＡＣＫ」メッセージをＳＩＰ電話機Ｂ（第２のＳＩＰ電話機４０−２）に中継する（ステップＳ２３）。
【００６４】
「ＡＣＫ」メッセージをＳＩＰ電話機Ｂ（第２のＳＩＰ電話機４０−２）が受信すると、通話のためのメディア・セッションがＲＴＰ（real-time transport protocol）により確立し（ステップＳ２４）、発信端末であるＳＩＰ電話機Ｄ（第４のＳＩＰ電話機４０−４）と応答端末であるＳＩＰ電話機Ｂ（第２のＳＩＰ電話機４０−２）の通話が可能となる。
【００６５】
以上の説明で明らかなように、上述した方法により、グループ代表着信に対して、グループ代表を構成するＳＩＰ電話機の一斉着信、および着信への応答が可能となる。
【００６６】
また、「ＩＮＶＩＴＥ」メッセージを使用せずに「ＮＯＴＩＦＹ」メッセージにより着信を通知することにより、複数のグループ代表着信が発生した場合に、複数の「ＩＮＶＩＴＥ」メッセージ受信による複数のダイアログ（呼）の管理が不要となる。
【００６７】
以上、本発明について好ましい実施の形態について説明してきたが、本発明は上述した実施の形態に限定されず、本発明の趣旨（主題）を逸脱しない範囲内で種々の変形・変更が可能なのは勿論である。例えば、上述した実施の形態では、ＳＩＰ電話機へのグループ代表着信の通知方法に、第１の所定のメッセージとしてイベント通知を行う「ＮＯＴＩＦＹ」メッセージを使用しているが、その他の通知方法として、イベント通知を行う「ＭＥＳＳＡＧＥ」メッセージやイベント通知を行う「ＩＮＦＯ」メッセージを適用しても良い。また、ＳＩＰ電話機が単独電話機でなく表示機能付き多機能電話機の場合には、着信時に鳴動と着信表示を行っても良いのは勿論である。
【図面の簡単な説明】
【００６８】
【図１】本発明によるグループ代表着信および着信応答方法が適用されるボタン電話装置を示すブロック図である。
【図２】図１に示したボタン電話装置に使用される主装置を示すブロック図である。
【図３】ＳＩＰ電話機と主装置のサブスクリプションの起動を示すシーケンス図である。
【図４】本発明の一実施の形態によるグループ代表着信および着信応答方法の動作を示すシーケンス図である。
【符号の説明】
【００６９】
１０    主装置
１１    ＬＡＮ収容インタフェース
１２    システムデータ
１３    中央処理装置
１４    ＳＩＰアプリケーション
１５    データベース
２０    ＬＡＮ回線
３０    ＳＩＰサーバ
４０−１〜４０−４    ＳＩＰ電話機
１００    ボタン電話装置
２００    ＩＰネットワーク
３００    ボタン電話装置
【図１】
2008011366.tif 000003
【図２】
2008011366.tif 000004
【図３】
2008011366.tif 000005
【図４】
2008011366.tif 000006